(57)【要約】【課題】ダイエット成功者の食事内容などの情報を閲覧することができ、モチベーションを向上させることができる健康管理サーバを提供する。【解決手段】本発明は、ダイエット管理対象者側端末及びダイエット管理者側端末とネットワークを介して接続されたダイエット管理サーバであって、ダイエット管理対象者から送信される食事画像情報及び食事品目情報、ダイエット管理者から送信されるコメントを受信する受信部と、食事品目情報を自動で分析して点数を付与する処理を行うと共に、点数が一定値以上の場合には、対応する食事画像情報などのダイエット情報を別のダイエット管理対象者が閲覧できる状態に共有化する処理を行う制御部と、ダイエット情報を記憶する記憶部と、ダイエット情報をダイエット管理対象者又はダイエット管理者に送信する送信部とを備えることを特徴とするダイエット管理サーバ。【選択図】図８
2020021412.tif 000002
【特許請求の範囲】
【請求項１】
ダイエット管理対象者側端末及びダイエット管理者側端末とネットワークを介して接続されたダイエット管理サーバであって、
前記ダイエット管理対象者側端末から送信される食事画像情報及び食事品目情報、前記ダイエット管理者側端末から送信されるコメントを受信する受信部と、
前記食事品目情報を自動で分析して点数を付与する処理を行うと共に、前記点数が一定値以上の場合には、対応する前記食事画像情報、前記食事品目情報、前記コメント、前記点数の全部又は一部を一連のダイエット情報として、前記ダイエット情報を入力したダイエット管理対象者とは別のダイエット管理対象者が閲覧できる状態に共有化する処理を行う制御部と、
前記ダイエット情報を記憶する記憶部と、
前記ダイエット情報を前記ダイエット管理対象者側端末又は前記ダイエット管理者側端末に送信する送信部とを備えることを特徴とするダイエット管理サーバ。
【請求項２】
前記食事品目情報が、付加的にダイエット管理対象者の身体情報を含むことを特徴とする請求項１に記載のダイエット管理サーバ。
【請求項３】
ダイエット管理対象者側端末及びダイエット管理者側端末とネットワークを介して接続されたダイエット管理サーバの制御方法であって、
前記ダイエット管理対象者側端末から送信される食事画像情報及び食事品目情報、前記ダイエット管理者側端末から送信されるコメントを受信する受信ステップと、
前記食事品目情報を自動で分析して点数を付与する処理を行う分析ステップと、
前記点数が一定値以上の場合には、対応する前記食事画像情報、前記食事品目情報、前記コメント、前記点数の全部又は一部を一連のダイエット情報として、前記ダイエット情報を入力したダイエット管理対象者とは別のダイエット管理対象者が閲覧できる状態に共有化する処理を行う共有化ステップと、
前記ダイエット情報を記憶する記憶ステップと、
前記ダイエット情報を前記ダイエット管理対象者側端末又は前記ダイエット管理者側端末に送信する送信ステップとを含むことを特徴とするダイエット管理サーバの制御方法。
【請求項４】
ダイエット管理対象者側端末及びダイエット管理者側端末とネットワークを介して接続されたダイエット管理プログラムであって、
コンピュータに、
前記ダイエット管理対象者側端末から送信される食事画像情報及び食事品目情報、前記ダイエット管理者側端末から送信されるコメントを受信する受信機能と、
前記食事品目情報を自動で分析して点数を付与する処理を行う分析機能と、
前記点数が一定値以上の場合には、対応する前記食事画像情報、前記食事品目情報、前記コメント、前記点数の全部又は一部を一連のダイエット情報として、前記ダイエット情報を入力したダイエット管理対象者とは別のダイエット管理対象者が閲覧できる状態に共有化する処理を行う共有化機能と、
前記ダイエット情報を記憶する記憶機能と、
前記ダイエット情報を前記ダイエット管理対象者側端末又は前記ダイエット管理者側端末に送信する送信機能とを含むことを特徴とするダイエット管理プログラム。
【発明の詳細な説明】
【技術分野】
【０００１】
この発明は、ダイエット管理対象者から入力された食事内容に関する情報に基づいて食事内容を自動で評価して点数を付与し、高得点の食事内容については、一連のダイエット情報として、他のダイエット管理対象者が閲覧できる状態に共有化することを特徴とするダイエット管理サーバ及びダイエット管理サーバ制御方法並びにダイエット管理プログラムに関する。
【背景技術】
【０００２】
近年、健康意識の高まりを受けて、ダイエット専門家の指導を受けるダイエット指導サービスが普及している。そして、ＩＴ化に伴い、ダイエット専門家とダイエット対象者が対面式で指導を受けることなく、オンラインで指導を受けるダイエット指導サービスも現れてきている。
【０００３】
このようなオンライン版ダイエット指導サービスにおいては、ダイエット対象者は、自らが保有する端末で食事内容に関する情報をサービス提供者のサーバに送信し、ダイエット専門家はその情報を見てダイエット対象者が摂取した食事や現在の健康状態などを確認し、指導のためのコメントを作成し、サーバを介してダイエット対象者に送信する。
【０００４】
特に、ダイエット対象者が送信した食事部分の画像を解析して（特許文献１）、栄養素の分析をすることにより、ダイエット専門家がコメントする作業を標準化、効率化する技術（特許文献２）が開示されている。
【先行技術文献】
【特許文献】
【０００５】
【特許文献１】特開２０１２−２１２２４９号公報
【特許文献２】特開２０１７−６２８５４号公報
【発明の概要】
【発明が解決しようとする課題】
【０００６】
しかしながら、上述した従来技術には、以下のような課題があった。
【０００７】
ダイエット対象者が、健康的に体重を減少させるなどダイエットの効果を得るためには、少なくとも数か月から１年程度の長期間にわたり、バランスの取れた食事を続ける必要がある。この時に大切なのは、効果が実感できない時期であっても、継続して適切なダイエットを続けるモチベーションである。ところが、一般的には、多くのダイエット挑戦者が、ダイエットの効果が得られるまでの短期間にモチベーションを失い、ダイエットを止めてしまっている。
【０００８】
オンライン版ダイエット指導サービスにおいて、ダイエット対象者がダイエットを継続するためのモチベーションの一つが、ダイエットに成功しているダイエット仲間を持ち、その食事内容を参考にすることである。
【０００９】
なお、ダイエット専門家によるコメントもモチベーションになりうるが、ダイエット専門家によるコメントがあったとしても、ダイエット対象者は基本的には一人でダイエットに取り組んでいるのであって、ダイエット仲間がいないことには変わりがない。
【００１０】
この点、上記特許文献１、２の技術は、結局のところ、ダイエット専門家がコメントする作業を標準化したり効率化したりするものであって、ダイエット対象者にダイエット仲間がいないという状況を改善するものではない。むしろ、ダイエット専門家のコメント作業を標準化・効率化することは、ダイエット専門家の負担を減らすことになる反面、コメントが定型化し温かみのない内容になる恐れがあり、ダイエット対象者のモチベーション維持という点では逆効果である。
【００１１】
このように、従来のオンライン版ダイエット指導サービスにおいては、ダイエット対象者は、ダイエットプログラム中において、ダイエットに成功しているダイエット仲間を持ち、その食事内容を参考にすることができないという問題があった。
【００１２】
本発明は、上述した従来技術の課題を解決するため、ダイエット管理対象者から入力された食事内容に関する情報に基づいて食事内容を自動で評価して点数を付与し、高得点の食事内容については一連のダイエット情報として、他のダイエット管理対象者が閲覧できる状態に共有化するダイエット管理サーバを提供することを目的とする。
【課題を解決するための手段】
【００１３】
上述した課題を解決し、目的を達成するため、本発明の一態様に係るダイエット管理サーバは、
ダイエット管理対象者側端末及びダイエット管理者側端末とネットワークを介して接続されたダイエット管理サーバであって、
前記ダイエット管理対象者側端末から送信される食事画像情報及び食事品目情報、前記ダイエット管理者側端末から送信されるコメントを受信する受信部と、
前記食事品目情報を自動で分析して点数を付与する処理を行うと共に、前記点数が一定値以上の場合には、対応する前記食事画像情報、前記食事品目情報、前記コメント、前記点数の全部又は一部を一連のダイエット情報として、前記ダイエット情報を入力したダイエット管理対象者とは別のダイエット管理対象者が閲覧できる状態に共有化する処理を行う制御部と、
前記ダイエット情報を記憶する記憶部と、
前記ダイエット情報を前記ダイエット管理対象者側端末又は前記ダイエット管理者側端末に送信する送信部とを備えている。
【００１４】
また、本発明の一態様に係るダイエット管理サーバは、上記の発明において、前記食事品目情報が、付加的にダイエット管理対象者の身体情報を含むことを特徴とする。
【００１５】
また、本発明の一態様に係るダイエット管理サーバの制御方法は、
ダイエット管理対象者側端末及びダイエット管理者側端末とネットワークを介して接続されたダイエット管理サーバの制御方法であって、
前記ダイエット管理対象者側端末から送信される食事画像情報及び食事品目情報、前記ダイエット管理者側端末から送信されるコメントを受信する受信ステップと、
前記食事品目情報を自動で分析して点数を付与する処理を行う分析ステップと、
前記点数が一定値以上の場合には、対応する前記食事画像情報、前記食事品目情報、前記コメント、前記点数の全部又は一部を一連のダイエット情報として、前記ダイエット情報を入力したダイエット管理対象者とは別のダイエット管理対象者が閲覧できる状態に共有化する処理を行う共有化ステップと、
前記ダイエット情報を記憶する記憶ステップと、
前記ダイエット情報を前記ダイエット管理対象者側端末又は前記ダイエット管理者側端末に送信する送信ステップとを含むことを特徴とする。
【００１６】
また、本発明の一態様に係るダイエット管理プログラムは、
ダイエット管理対象者側端末及びダイエット管理者側端末とネットワークを介して接続されたダイエット管理プログラムであって、
コンピュータに、
前記ダイエット管理対象者側端末から送信される食事画像情報及び食事品目情報、前記ダイエット管理者側端末から送信されるコメントを受信する受信機能と、
前記食事品目情報を自動で分析して点数を付与する処理を行う分析機能と、
前記点数が一定値以上の場合には、対応する前記食事画像情報、前記食事品目情報、前記コメント、前記点数の全部又は一部を一連のダイエット情報として、前記ダイエット情報を入力したダイエット管理対象者とは別のダイエット管理対象者が閲覧できる状態に共有化する処理を行う共有化機能と、
前記ダイエット情報を記憶する記憶機能と、
前記ダイエット情報を前記ダイエット管理対象者側端末又は前記ダイエット管理者側端末に送信する送信機能とを含むことを特徴とする。
【発明の効果】
【００１７】
本発明にかかるダイエット管理サーバによれば、ダイエット管理対象者は、他のダイエット管理対象者の摂取した食事内容のうち、高得点であったものに関する一連のダイエット情報を閲覧することができ、自身の食事内容を決める際に参考とするだけでなく、モチベーションの維持を図ることができる。
【図面の簡単な説明】
【００１８】
【図１】この発明にかかるダイエット管理サーバを含む全体のシステム構成を示すシステム図である。
【図２】この発明にかかるダイエット管理サーバを含む全体の機能構成を示すブロック図である。
【図３】この発明にかかるダイエット管理サーバ１００の動作の一例を示すフローチャートである。
【図４】この発明にかかる撮像部２５０が取得する食事画像情報の一例である。
【図５】この発明にかかる入力部ａ２４０において入力される食事品目情報の一例である。
【図６】この発明にかかるダイエット管理者が入力するコメントの一例である。
【図７】この発明にかかるダイエット管理対象者の表示部ａ２３０に表示されるダイエット情報の一例である。
【図８】この発明にかかるダイエット管理対象者の共有化されたダイエット情報の一例である。
【発明を実施するための形態】
【００１９】
以下、本発明の実施の形態について、図面を用いて説明する。なお、全ての図面において、同様な構成要素には同様の符号を付し、適宜説明を省略する。
【００２０】
（ダイエット管理サーバを含むダイエット管理システムの概要）
まず、この発明にかかる実施の形態であるダイエット管理サーバを含むダイエット管理システムの全体構成を、図１を用いて説明する。
【００２１】
図１に示す通り、ダイエット管理システムは、ダイエット管理サーバ１００、ダイエット管理対象者側端末２００、ダイエット管理者側端末３００、及びネットワーク４００を含む。ダイエット管理サーバ１００は、ネットワーク４００を介して、ダイエット管理対象者側端末２００及びダイエット管理者側端末３００と接続される。
【００２２】
ダイエット管理対象者側端末２００は、ダイエットをしたい者（ダイエット管理対象者）が保有する端末である。この者は通常は、サービス提供者とサービス提供に関する契約を締結している。図１において、ダイエット管理対象者側端末２００は、スマートフォンのアイコンで示してあるが、これに限られず、タブレット端末、パーソナルコンピュータ、その他の電子機器であってもよい。また、図１では省略しているが、本発明ではダイエット管理対象者が複数存在することが前提なので、ダイエット管理対象者側端末２００は、複数存在する。
【００２３】
ダイエット管理者側端末３００は、ダイエット管理対象者が送信する食事内容に関する情報を見てダイエット指導のためのコメントを作成して送信するダイエット専門家が保有する端末である。図１において、ダイエット管理者側端末３００は、パーソナルコンピュータのアイコンで示してあるが、これに限られず、スマートフォン、タブレット端末、その他の電子機器であってもよい。また、図１では省略しているが、ダイエット管理者側端末３００は、複数存在してもよい。
【００２４】
ネットワーク４００は、ダイエット管理サーバ１００、ダイエット管理対象者側端末２００及びダイエット管理者側端末３００の通信を可能とするものであれば何でもよい。典型的には、インターネットであるが、ＬＡＮ（ローカルエリアネットワーク）、ＷＡＮ（ワイドエリアネットワーク）、有線又は無線を問わない。
【００２５】
（ダイエット管理サーバを含むダイエット管理システムの機能的構成）
図２は、この発明にかかる実施の形態のダイエット管理システムの機能構成の一例を示すブロック図である。図２において、ダイエット管理システムは、既に図１で説明した通り、ダイエット管理サーバ１００、ダイエット管理対象者側端末２００、ダイエット管理者側端末３００、及びネットワーク４００を含む構成となっている。
【００２６】
図２において、ダイエット管理サーバ１００は、受信部１２０、制御部１３０、記憶部１４０、送信部１５０を含んで構成される。
【００２７】
受信部１２０は、ダイエット管理対象者側端末２００又はダイエット管理者側端末３００からネットワーク４００を介して送信されてきた情報を受信する。
【００２８】
送信部１５０は、情報を、ネットワーク４００を介して、ダイエット管理対象者側端末２００又はダイエット管理者側端末３００に対して送信する。
【００２９】
記憶部１４０は、食事画像情報、食事品目情報、コメント、点数などを記憶する。
【００３０】
制御部１３０は、受信部１２０、記憶部１４０、送信部１５０の機能を制御する。
【００３１】
また、制御部１３０は、ダイエット管理対象者から送信された食事品目情報を分析して自動的に食事内容を評価する点数を付与する（分析ステップ）。
【００３２】
更に、制御部１３０は、付与された点数が一定値以上の場合には、関連する食事画像情報、食事品目情報、付与された点数及びそれらに対するコメントを一連のダイエット情報として、他のダイエット管理対象者も閲覧できる状態に共有化する（共有化ステップ）。
【００３３】
図２において、ダイエット管理対象者側端末２００は、受信部ａ２１０、制御部ａ２２０、表示部ａ２３０、入力部ａ２４０、撮像部２５０、送信部ａ２６０を含んで構成される。
【００３４】
撮像部２５０は、ダイエット管理対象者が摂取する食事内容を撮影し、食事画像を画像データ（食事画像情報）として取得する。取得された食事画像情報は、ダイエット管理対象者側端末２００に内蔵されているメモリ（図２に図示はしていない）に一時的に記憶される。
【００３５】
表示部ａ２３０は、液晶画面などによって構成されており、ダイエット管理対象者に対して、ダイエット管理サーバ１００の記憶部１４０に保管されている情報を出力する。なお、表示部ａ２３０は、タッチパネルを有するように構成されてもよい。
【００３６】
入力部ａ２４０は、文字、数字、各種指示などの入力のためのキーまたはボタンなどを備え、ダイエット管理対象者側端末２００に対して、操作の指示やデータの入力をおこなうことができる。表示部ａ２３０が、タッチパネルを有するように構成されている場合には、液晶ディスプレイの表示内容を変更することにより、複数のキーを設けることなく、タッチパネルを介して複数種類の入力操作をおこなうことができる。
【００３７】
受信部ａ２１０は、ダイエット管理サーバ１００からネットワーク４００を介して送信されてきた情報を受信する。
【００３８】
送信部ａ２６０は、食事画像情報、食事品目情報などを、ネットワーク４００を介して、ダイエット管理サーバ１００に対して送信する。
【００３９】
制御部ａ２２０は、受信部ａ２１０、送信部ａ２６０の機能を制御する。
【００４０】
図２において、ダイエット管理者側端末３００は、受信部ｂ３１０、制御部ｂ３２０、表示部ｂ３３０、入力部ｂ３４０、送信部ｂ３５０を含んで構成される。
【００４１】
受信部ｂ３１０、制御部ｂ３２０、表示部ｂ３３０、入力部ｂ３４０、送信部ｂ３５０の機能は、基本的にダイエット管理対象者側端末２００の対応部分と同じであるので、説明を省略する。
【００４２】
図３は、本実施形態において、ダイエット管理サーバ１００が行う処理の一例を示すフローチャートである。
【００４３】
ダイエット管理対象者が食事を摂取する際、食べる前にその食事内容をダイエット管理対象者側端末２００に搭載されている撮像部２５０で撮影する。図４は、撮像部２５０で撮影された食事画像情報の一例である。これにより、食事画像情報が取得され、ダイエット管理対象者側端末２００に内蔵されているメモリ（図２に図示はしていない）に一時的に記憶される。ダイエット管理対象者は、入力部ａ２４０により、食事画像情報を送信部ａ２６０からダイエット管理サーバ１００へ送信する指示を入力する。食事画像情報は、ネットワーク４００を介してダイエット管理サーバ１００の受信部１２０に送信される。
このようにして、ダイエット管理サーバ１００は、ダイエット管理対象者が撮像部２５０で撮影した食事画像情報を受け付ける（ステップＳ２０）。
【００４４】
ダイエット管理対象者は、引き続き、食事品目情報を対象者側端末２００の入力部ａ２４０から入力する。
【００４５】
図５は、入力部ａ２４０において入力される食事品目情報の一例である。「食事品目」の欄は、ダイエット管理対象者が摂取した食事内容を品目ごとに分類しやすいようにしたリストである。「量」の欄には、ダイエット管理対象者側が、実際の食事内容に応じて、該当する食事品目を食べたか食べなかったか、食べた場合はその量を入力することができる。図５では、食べなかった場合を「×」、通常の量を食べた場合を「○」、沢山の量を食べた場合を「◎」と入力できるようにしている。
【００４６】
この「食事品目」は、サービス提供者側が予め自由に設定しておくことができる。食事項目にどのような内容を設定するかは、サービス提供者の任意である。図５の例のように設定することもできるし、穀類、イモ類、豆類、肉類、魚介類、卵類、きのこ類、野菜類、果実類、油脂類、乳類、菓子類などのように設定してもよい。また、もっと細かく設定してもよい。どのような食事項目を設定するかは、サービス提供者側のダイエットに関するノウハウとも関連するので、特に制限はない。
【００４７】
「量」については、図５のように「×」「○」「◎」の３段階で入力できるようにしてもよいし、より多段階で入力できるように設定してもよい。
【００４８】
食事品目情報としては、付加的に、ダイエット管理対象者の身体情報を含んでもよい。身体情報としては、身長、体重、体脂肪率、ＢＭＩ、便状態、便色などが挙げられるが、これに限定されるものではない。
【００４９】
食事品目情報が付加的にダイエット管理対象者の身体情報を含むことで、ダイエット管理対象者は、自身のダイエットの成果を食事内容と共に振り返って確認することができる。また、ダイエット情報が共有化された場合には、各ダイエット管理対象者は、ダイエット成功者の身体情報を食事内容と絡めて確認することができ、更なるモチベーションに繋がる。
【００５０】
また、食事品目情報としては、付加的に、食事方法に関する情報を含んでも良い。食事方法に関する情報としては、咀嚼量や食べ方などが挙げられる。
【００５１】
以上のように、ダイエット管理対象者によって入力された食事品目情報も、食事画像情報と同様に、ダイエット管理サーバ１００の受信部１２０に送信される。
このように、ダイエット管理サーバ１００は、ダイエット管理対象者が入力部ａ２４０で入力した食事品目情報を受け付ける（ステップＳ３０）。
【００５２】
食事画像情報及び食事品目情報を受け付けたダイエット管理サーバ１００の受信部１２０は、制御部１３０の制御の下で、これらの情報を記憶部１４０に保管する。同時に、制御部１３０は、食事品目情報を分析して、自動的に食事内容を評価する点数を算出する（ステップＳ４０）。算出された点数は、制御部１３０の制御の下で、記憶部１４０に保管される。
【００５３】
分析にあたっては、ダイエットに影響する要素（例：栄養バランス、食事の分量、咀嚼量、食べ方など）を複合的に含む方程式を予め立ててプログラムしておき、ダイエット管理対象者から送信された食事品目情報を元に、方程式から導かれる数値を点数として使用することができる。
例えば、点数を算出する方程式プログラムは次のようなものがありうる。
栄養バランスの評価として、１０以上の食事品目を摂取した場合は１００点、７つ以上の食事品目を摂取した場合は７０点、５つ以上の食事品目を摂取した場合は５０点、それ未満の場合には３０点とする。食事品目情報には、ダイエット管理対象者が食事品目を入力したデータがあるので、栄養バランス点はそれに従って自動的に算出される。
食事の分量の評価として、食事の量が多かったり少なかったりする場合には−１０点とする。食事品目情報には、ダイエット管理対象者が食事量を入力したデータ（「多い」／「普通」／「少ない」）がある場合もあるので、これに従って食事の分量の評価は自動的に算出される。
方程式プログラムとして、点数を、栄養バランスの評価と食事の分量の評価との合計であるとすることができる。上記の例であれば、１０以上の食事品目を摂取したが食事の量が多かった場合には、点数＝１００点−１０点＝９０点と自動的に計算される。
上記は非常にシンプルな方程式プログラムであるが、サービス提供者のダイエット理論に基づいて、適宜自由に設計することができる。
【００５４】
ダイエット管理者は、ダイエット管理者側端末３００を使用して、ネットワーク４００を介して、その権限により、ダイエット管理サーバ１００の記憶部１４０にアクセスして、食事画像情報、食事品目情報及び付与された点数に関する情報を、表示部ｂ３３０にて閲覧することができる。その後、ダイエット管理者は、ダイエット管理者側端末３００の入力部ｂ３４０から、当該ダイエット管理対象者の食事内容について、コメントを入力する。図６は、ダイエット管理者が入力するコメントの一例である。
このように、ダイエット管理サーバ１００は、ダイエット管理者が入力部ｂ３４０で入力したコメントを受け付ける（ステップＳ５０）。受け付けたコメントは、制御部１３０の制御の下で、記憶部１４０に保管される。
【００５５】
この段階で、ダイエット管理サーバ１００の記憶部１４０には、食事画像情報、食事品目情報、付与された点数及びそれらに対するコメントの情報（ダイエット情報）が保管されていることになる。
【００５６】
ダイエット管理対象者は、ダイエット管理対象者側端末２００を使用して、ネットワーク４００を介して、その権限により、ダイエット管理サーバ１００の記憶部１４０にアクセスして、自身の都度の食事内容に対して付与された点数及びコメントを、表示部ａ２３０にて確認することができる。図７は、表示部ａ２３０において表示されるダイエット管理対象者自身のダイエット情報の表示の一例である。このダイエット情報は、当該ダイエット管理対象者しか閲覧することができない。
【００５７】
次に、ダイエット管理サーバ１００の制御部１３０は、付与された点数がサービス提供者が設定する一定値以上であるかどうかを判別する（ステップＳ６０）。
【００５８】
ダイエット管理サーバ１００の制御部１３０は、付与された点数が一定値以上であれば、その点数が付与された食事内容に関するダイエット情報を、全てのダイエット管理対象者が閲覧できるように共有化する（ステップＳ７０）。
【００５９】
ダイエット管理サーバ１００の制御部１３０は、付与された点数が一定値未満であれば、その点数が付与された食事内容に関するダイエット情報を、他のダイエット管理対象者と共有化しない（ステップＳ８０）。
【００６０】
図８は、ステップＳ７０によって共有化された特定のダイエット管理対象者のダイエット情報の表示の一例である（ここでは、特定のダイエット管理対象者として、図７のダイエット管理対象者を選んでいる。）。図８では、点数が７０点以上の場合のみ共有化するように予め設定してある。
【００６１】
共有化されるダイエット情報は、一定の点数以上の高評価の食事内容であり、ダイエット成功者の成功の秘訣でもある。このダイエット情報を共有化することで、全てのダイエット管理対象者が、このダイエット情報を参考とできると共に、自分も食事内容を真似てダイエットを成功させようというモチベーションにも繋がる。
例えば、ダイエット管理対象者は、食事画像情報や食事品目情報から、他のダイエット成功者の実際の食事内容を知ることができ、コメントから、ダイエット成功者に対する更なるアドバイスを知ることができる。当該ダイエット成功者が自身の体重や体脂肪率などに関する身体情報も入力していた場合には、ダイエット管理対象者は、体重や体脂肪率の減少の様子を食事内容に関連付けて知ることができ、自身のダイエットのモチベーションに繋げることができる。
【００６２】
共有化されるダイエット情報は、食事画像情報、食事品目情報、付与された点数及びそれらに対するコメントの情報の全部であってもよいし、その一部であってもよい。食事画像情報、コメント及び身体情報（食事品目情報に付加的に身体情報が含まれる場合に限る。）は、その中でも特に共有化することが好ましい情報である。
【００６３】
制御部１３０がダイエット情報を共有化するに当たっては、例えば、記憶部１４０において、ダイエット管理対象者本人しかアクセスできない領域と、全てのダイエット管理対象者がアクセスできる領域とを別に設けておき、通常は前者の領域にダイエット情報を保管しておき、点数が一定値以上の場合には、制御部１３０が当該ダイエット情報を前者の領域と共に後者の領域に保管する方法が考えられる。ただし、共有化の方法はこれに限られず、公知のあらゆる技術を用いることができる。
【００６４】
以上、図面を参照して実施形態について述べたが、これらは本発明の例示であり、上記以外の様々な構成を採用することもできる。
【符号の説明】
【００６５】
１００  ダイエット管理サーバ
１２０  受信部
１３０  制御部
１４０  記憶部
１５０  送信部
２００  ダイエット管理対象者側端末
２１０  受信部ａ
２２０  制御部ａ
２３０  表示部ａ
２４０  入力部ａ
２５０  撮像部
２６０  送信部ａ
３００  ダイエット管理者側端末
３１０  受信部ｂ
３２０  制御部ｂ
３３０  表示部ｂ
３４０  入力部ｂ
３５０  送信部ｂ
４００  ネットワーク
【図１】
2020021412.tif 000003
【図２】
2020021412.tif 000004
【図３】
2020021412.tif 000005
【図４】
2020021412.tif 000006
【図５】
2020021412.tif 000007
【図６】
2020021412.tif 000008
【図７】
2020021412.tif 000009
【図８】
2020021412.tif 000010